(57)【要約】      （修正有）【課題】複数のページに亘って関連性のある事項を容易に且つ効果的に記載でき、一覧性が良く且つ携帯性にも優れるノートを提供する。【解決手段】矩形の紙の一方の辺を４等分し、他方の辺を２等分または４等分するようにして、矩形の紙を八つ折りまたは十六折りにし、折り目によって等分された矩形の紙の表裏の各領域の夫々が、文字などを揃えて書く事を助ける為の縦または横に並んだ規則性のあるパターンが印刷された頁となっているノートの各頁には、前記矩形の紙の全体における、当該頁の位置を特定できる識別子が印刷されている。識別子は、例えば、アルファベット、数字および色の組み合わせからなる。【選択図】図１
2020066125.tif 000002
【特許請求の範囲】
【請求項１】
矩形の紙の一方の辺を４等分し、他方の辺を２等分または４等分するようにして、前記矩形の紙を八つ折りまたは十六折りにし、折り目によって等分された前記矩形の紙の表裏の各領域の夫々が、文字などを揃えて書く事を助ける為の縦または横に並んだ規則性のあるパターンが印刷された頁となっているノートであって、
前記各頁には、前記矩形の紙の全体における、当該頁の位置を特定できる識別子が印刷されているノート。
【請求項２】
前記識別子は、アルファベット、数字および色の組み合わせからなることを特徴とする請求項１に記載のノート。
【請求項３】
前記識別子は、各頁の一角に印刷されたアイコンであり、このアイコンは高濃度部分を有しており、前記矩形の紙の全体に対する当該頁の位置が、前記アイコンの全体に対する前記高濃度部分の位置として表現されていることを特徴とする請求項１に記載のノート。
【発明の詳細な説明】
【技術分野】
【０００１】
本発明は、ユーザーが、複数のページに亘って関連性のある事項を容易に且つ効果的に記載できるノートに関する。
【背景技術】
【０００２】
一般にノートとは、複数の紙を金具や糊で束ねた文房具のことをいう。帳面、筆記帳などと呼ばれたりもする。広い意味では、手帳や日記帳もノートの一種と言える。
【０００３】
通常、束ねた状態で使うものがノートであり、使用に際して一枚一枚を切りはずして使うメモ帳・便箋・レポート用紙などはノートとは呼ばない。多くの場合、一つの決まった目的のために、相互に関連のある事項を書き留め、纏めて保存するのに使用される。例えば、学習ノート、実験ノートといったものである（特許文献１）。
【先行技術文献】
【特許文献】
【０００４】
【特許文献１】特開２００１−１２１８４８号公報
【発明の概要】
【発明が解決しようとする課題】
【０００５】
これまでのノートは、束ねられている為、複数のページに亘って関連性のある事項を記載する場合、相互に参照する際にはページを捲ったり戻したりして、面倒であった。また、使い終わったノートに書き込んだ内容をデジタルデータとして保存しておきたいような場合には、各ページ毎にスキャンや撮影を行わねばならず、甚だ手間がかかっていた。
【０００６】
そこで、本発明の目的は、複数のページに亘って関連性のある事項を容易に且つ効果的に記載でき、一覧性が良く、携帯性にも優れるノートを提供することである。
【課題を解決するための手段】
【０００７】
上記課題を解決するために、本発明の１つの様相によるノートは、矩形の紙の一方の辺を４等分し、他方の辺を２等分または４等分するようにして、前記矩形の紙を八つ折りまたは十六折りにし、折り目によって等分された前記矩形の紙の表裏の各領域の夫々が、文字などを揃えて書く事を助ける為の縦または横に並んだ規則性のあるパターンが印刷された頁となっているノートであって、前記各頁には、前記矩形の紙の全体における、当該頁の位置を特定できる識別子が印刷されている。
【０００８】
また、一つの実施例では、前記識別子は、アルファベット、数字および色の組み合わせからなることを特徴とする。
【０００９】
更に、一つの実施例では、前記識別子は、各頁の一角に印刷されたアイコンであり、このアイコンは高濃度部分を有しており、前記矩形の紙の全体に対する当該頁の位置が、前記アイコンの全体に対する前記高濃度部分の位置として表現されていることを特徴とする。
【発明の効果】
【００１０】
本発明に係わるノートによれば、複数のページに亘って関連性のある事項を容易に且つ効果的に記載できる。また、本発明に係わるノートは一覧性が良く、携帯性にも優れる。
【図面の簡単な説明】
【００１１】
【図１】図１は、本発明の実施例１に係るノート１を示す斜視図である。
【図２】図２は、本発明の実施例１に係るノート１の展開図であり、表側に印刷された８の頁が示されている。
【図３】図３は、本発明の実施例１に係るノート１の展開図であり、裏側に印刷された８の頁が示されている。
【図４】図４は、本発明の実施例２に係るノート２の展開図であり、表側に印刷された１６の頁が示されている。
【図５】図５は、本発明の実施例２に係るノート２の展開図であり、裏側に印刷された１６の頁が示されている。
【図６】図６は、本発明の実施例３に係るノート３の展開図であり、表側に印刷された８の頁が示されている。
【図７】図７は、本発明の実施例３に係るノート３の展開図であり、裏側に印刷された８の頁が示されている。
【図８】図８は、本発明の実施例４に係るノート４の展開図であり、表側に印刷された１６の頁が示されている。
【図９】図９は、本発明の実施例４に係るノート４の展開図であり、裏側に印刷された１６の頁が示されている。
【図１０】図１０は、本発明の実施例５に係るノート５の展開図であり、表側に印刷された８の頁が示されている。
【図１１】図１１は、本発明の実施例５に係るノート５の展開図であり、裏側に印刷された８の頁が示されている。
【図１２】図１２は、図６および図７に示された両面で１６頁のノートの縦長の頁で用いられている横長のアイコンを表現する図である。
【図１３】図１３は、図８および図９に示された両面で３２頁のノートの縦長の頁で用いられている縦長のアイコンを表現する図である。
【図１４】図１４は、は、図１０および図１１に示された両面で１６頁の横長の頁で用いられている縦長のアイコンを表現する図である。
【図１５】図１５は、片面１６頁の横長の頁のノートで用いる横長アイコンを表現する図である。
【図１６】図１６は、片面８頁の縦長頁のノートで用いられている横長アイコンを表現する図であり、裏面を黒の太い縁取りで区別したアイコンを表現する図である。
【図１７】図１７は、片面８頁の縦長頁のノートで用いられている横長アイコンを表現する図であり、裏面を中央に黒丸で区別したアイコンを表現する図である。
【図１８】図１８は、片面８頁の縦長頁のノートで用いられている横長アイコンを表現する図であり、識別記号でも頁の位置を識別できるアイコンを表現する図である。
【発明を実施するための形態】
【００１２】
以下、添付図面を参照しながら、本発明によるノートの実施例を説明する。なお、図面は白黒となっているが、いくつかの実施例では、色分けが重要となっている。その場合、その都度、色分けの説明を加えるようにする。また、下記ノートの実施例では、完全な展開状態において、Ａ２版の大きさとなっているが、本発明はこれに限定されるものではない。例えば、完全な展開状態において、Ａ１版、Ｂ２版、Ｂ３版といった大きさとしても良い。また、下記実施例では、罫線は横で記載しているが、方眼や、縦書き、等間隔のドット等の文字などを揃えて書く事を助ける為の色々なパターンとしても良い。
【実施例１】
【００１３】
図１は、本発明の実施例１に係るノート１を示す斜視図である。このノート１は、Ａ２版の上質紙を八つ折りにしたものである。また、図２および図３は、図１に示したノート１の展開図であり、互いに裏表の関係にある。
【００１４】
図２および図３の展開図において、点線が山折り、破線が谷折りを示している。実際の製品では、これらの点線や破線は印刷されていない。図２および図３に示したような完全に開いた状態から、八つ折りの状態にするには、まず、図２で点線ｄ１を山折りにして、細長い二つ折りの状態とする。すなわち、Ａ２版の上質紙の長手方向に沿って折る。次に、この細長い二つ折りの状態の紙を蛇腹に四つに折って、全体として八つ折りの状態にする。すなわち、点線ｄ２、ｄ３、ｄ４を山折りにし、破線ｂ１、ｂ２、ｂ３を谷折りにする。
【００１５】
図２および図３に示したように、このノートは、展開した状態で、折り目で区画されている８つの領域（ここでは「頁」と呼ぶ）を備えている。両面では１６頁となる。各頁には、罫線が印刷されており、左上に識別記号（識別子）が印刷されている。すなわち、表側上段の左からＡ−１、Ａ−２、Ａ−３、Ａ−４、表側下段の左からＢ−１、Ｂ−２、Ｂ−３、Ｂ−４、裏側上段の左からＣ−１、Ｃ−２、Ｃ−３、Ｃ−４、裏側下段の左からＤ−１、Ｄ−２、Ｄ−３、Ｄ−４という識別記号が印刷されている。
【００１６】
図１に示したようなＡ−１頁（反対側にＡ−４頁）が表示された状態（八つ折りに小さく畳まれた状態）で、製品として販売されている。そこから、適宜開いていくと、例えば、Ａ−２頁とＡ−３頁、あるいはＡ−１頁、Ａ−２頁とＡ−３頁といった頁を開いた状態とすることが出来る。
【００１７】
図２および図３に示したような山折り、谷折りの折り線は初期状態の畳み方に対応しており、使用するにあたっては、適時、どのような折り方をしても構わない。自由に折って、必要な頁が表にくるようにして使用する。ただ、あれこれ折り方を変えていると、全体のどの頁に記載しているか（どの頁が表となっているか）が分からなくなることがある。しかし、上記の通り、頁毎に識別記号が印刷されていると、この識別記号を参照することで、常に現在の頁の位置を意識しながら記載することができる。
【００１８】
使い終わったノートに書き込んだ内容を、後々の確認のため等に保存しておきたいことがある。そのような場合、ノートそのものを保存しておいてもよいが、やはりデジタルデータとしておくと取扱いが格段に便利である。
【００１９】
従来のノートでは、頁ごとにスキャンや撮影をして保存しておくことになる。この場合、２頁見開き状態で撮影をしても、１６頁では８回、３２頁では１６回、撮影を繰り返し、その都度、名前をつけて保存することになる。これは甚だ手間がかかり面倒である。本発明のノート１では、スマートフォン用のアプリケーションプログラムが利用して、これを一手間で行う。以下、このアプリケーションプログラムについて説明を行う。
【００２０】
近年のスマートフォンには、2000万画素を越えるような解像度を持つカメラを備えたものも多く存在する。このようなカメラで撮影した画像は、拡大しても細部まで鮮明に表示される。従って、ノート１を完全にＡ２版の状態まで開いて全体を撮影した画像は、拡大することで、細かな書き込みであっても鮮明に視認できる。
【００２１】
アプリケーションプログラムを起動した後、ユーザーは、スマートフォンのカメラが、Ａ２版の全体を捉えたタイミングでシャッターを切る。その後、アプリケーションプログラムは、撮影された画像を解析して、各頁の位置を検出する。例えば、図２および図３に示したような点線や破線の領域を特定する。実際の製品では、これらの点線や破線は印刷されていないので、帯状の空白領域（折り線の位置）を特定することになる。空白領域に取り囲まれた領域が、各頁ということになる。または、頁毎に印刷されている識別記号を検出して、識別記号の分布から頁の配置を決定して、各頁の位置を特定することができる。
【００２２】
そして、Ａ２版の画像を８等分して、８個のデータ（ファイル）として保存する。その際、予め識別記号を文字認識しておき、どのファイルがどの頁に対応するかを決めておく。そして、例えば、２０１９年１月１日に保存した場合、Ａ−１頁のファイルであれば、20190101A1.jpgといったファイル名により区別して保存する。従って、Ａ２版の状態まで開いて表裏全体を撮影するだけで、１６頁の書き込み内容を、ページ毎のファイルとして保存することが出来る。
【００２３】
要約すると、このアプリケーションプログラムは、矩形の紙の一方の辺を４等分し、他方の辺を２等分または４等分するようにして、矩形の紙を八つ折りまたは十六折りにし、折り目によって等分された矩形の紙の表裏の各領域の夫々が、文字などを揃えて書く事を助ける為の縦または横に並んだ規則性のあるパターンが印刷された頁となっているノートであって、各頁には、矩形の紙の全体における、当該頁の位置を特定できる識別子が印刷されているノートの為の、スマートフォンにインストールされて用いられる頁撮影分離アプリケーションプログラムであって、スマートフォンを、矩形の紙の全体を撮影した画像を全体画像として取得する画像取得手段、全体画像を解析して各頁の画像に分離して、夫々分離画像として取得する画像解析分離手段および分離画像を互いに区別する名前を付けて保存する分離画像保存手段として機能させるための頁撮影分離アプリケーションプログラムである。
【００２４】
このアプリケーションプログラムで保存した分離画像は、例えば、以下のような順序のいずれかを選択して表示する。一つは、行順に表示するもので、図２の場合では、Ａ−１頁、Ａ−２頁、Ａ−３頁、Ａ−４頁、Ｂ−１頁、Ｂ−２頁、Ｂ−３頁、Ｂ−４頁、…Ｄ−１頁、Ｄ−２頁、Ｄ−３頁、Ｄ−４頁の順で表示される。もう一つは、列順に表示するもので、図２の場合では、Ａ−１頁、Ｂ−１頁、Ｃ−１頁、Ｄ−１頁、Ａ−２頁、Ｂ−２頁、Ｃ−２頁、Ｄ−２頁、…、Ｃ−４頁、Ｄ−４頁の順で表示される。
【００２５】
または、縦スワイプおよび横スワイプで、表示する頁を縦横に連続的に変えることもできるし、斜めにスワイプを行えば、対角順などに表示することもできる。
【００２６】
また、保存先としては、スマートフォンのローカルストレージの他に、オンラインストレージを指定しても良い。例えば、クラウドサービス（EverNoteやOneNote、GoogleDrive）等との連携を行っても良い。
【実施例２】
【００２７】
図４および図５は、本発明の実施例２に係るノート２の展開図であり、互いに裏表の関係にある。ここでも、点線が山折り、破線が谷折りを示している。実際の製品では、これらの点線や破線は印刷されていない。実施例１のノート１では、Ａ２版の上質紙を八つ折りにしていたが、実施例２のノート２は、そこから更に二つ折りし、全体で十六折りにしたものである。なお、Ａ２版の上質紙の代わりに、Ａ１版の上質紙を用いても良い。その場合、一頁の大きさが実施例１のノート１と同じとなる。
【００２８】
図４および図５に示したように、このノートは、展開した状態で、折り目で区画されている１６の頁を備えている。両面では３２頁となる。各頁には、罫線が印刷されており、左上に識別記号が印刷されている。すなわち、図４に示したように、表側最上段の左からＡ−１、Ａ−２、Ａ−３、Ａ−４、表側２段目の左からＢ−１、Ｂ−２、Ｂ−３、Ｂ−４、表側３段目の左からＣ−１、Ｃ−２、Ｃ−３、Ｃ−４、表側最下段の左からＤ−１、Ｄ−２、Ｄ−３、Ｄ−４という識別記号が印刷されている。図５に示したように、裏側でも全く同一の識別記号が印刷されている。
【００２９】
図４と図５は、点線と破線が入れ替わっていることを除いて、白黒の図面上では同一に見える。しかし、実際には、表側の識別記号は青色で印刷されており、裏側の識別記号は赤色で印刷されている。すなわち、ユーザーは識別記号の色で、表裏を区別することが出来る。
【実施例３】
【００３０】
図６および図７は、本発明の実施例３に係るノート３の展開図であり、互いに裏表の関係にある。ここでも、点線が山折り、破線が谷折りを示している。実際の製品では、これらの点線や破線は印刷されていない。実施例３のノート３は、実施例１とほぼ同一であるが、各頁の左上には、識別記号ではなくアイコンが印刷されているという点で異なる。アイコン以外の点では、実施例３は実施例１と同一である。
【００３１】
すなわち、図６および図７に示したように、このノートは、展開した状態で、折り目で区画されている８つの頁を備えている。両面では１６頁となる。各頁には、罫線が印刷されており、左上にアイコンが印刷されている。図６と図７は、点線と破線が入れ替わっていることを除いて、図面上同一に見える。しかし、実際には、表側のアイコンは青色で印刷されており、裏側のアイコンは赤色で印刷されている。すなわち、ユーザーはアイコンの色で、表裏を区別することが出来る。
【００３２】
本発明の実施例３で用いるアイコンでは、展開図（Ａ２版上質紙の全体）における各頁の位置を、アイコンに含まれる高濃度部分で表現している。すなわち、展開図の全体に対する当該頁の位置を、アイコン全体に対する高濃度部分の位置に対応させている。例えば、実施例１で識別記号Ａ−１が印刷されている頁は、展開図の全体の左上に位置している。従って、この識別記号Ａ−１が印刷されている頁の左上に印刷された薄い青色（図では薄い灰色）の矩形アイコンの、左上の一部が濃い青色（図では濃い灰色）となっている。
【００３３】
詳しく言えば、展開図の全体に対する各頁の配置に対応して、矩形のアイコンを縦に二等分、横に四等分して、全体に八等分に区画し、当該頁の位置に応じて、その一つの区画を高濃度部分（濃い青色）としている。これにより、例えば、識別記号Ａ−１が印刷されている頁のみが見えるように折り畳まれていても、当該頁が全体の左上の角に位置しているということがわかる。
【００３４】
したがって、この高濃度部分の位置によってどの頁が上向きになっていても、その頁が１６の頁のどれであるかを、アイコンにおける高濃度部分の位置および色によって知ることが出来る。
【実施例４】
【００３５】
図８および図９は、本発明の実施例４に係るノート４の展開図であり、互いに裏表の関係にある。ここでも、点線が山折り、破線が谷折りを示している。実際の製品では、これらの点線や破線は印刷されていない。実施例４のノート４は、実施例２とほぼ同一であるが、各頁の左上には、識別記号ではなくアイコンが印刷されているという点で異なる。アイコン以外の点では、実施例４は実施例２と同一である。
【００３６】
すなわち、図６および図７に示したように、このノートは、展開した状態で、折り目で区画されている１６の頁を備えている。両面では３２頁となる。各頁には、罫線が印刷されており、左上にアイコンが印刷されている。図８と図９は、点線と破線が入れ替わっていることを除いて、図面上同一に見える。しかし、実際には、表側のアイコンは青色で印刷されており、裏側のアイコンは赤色で印刷されている。すなわち、ユーザーはアイコンの色で、表裏を区別することが出来る。
【００３７】
実施例３と同様に、本発明の実施例４で用いるアイコンでは、展開図（Ａ２版上質紙の全体）における各頁の位置を、アイコンに含まれる高濃度部分で表現している。すなわち、展開図の全体に対する当該頁の位置を、アイコン全体に対する高濃度部分の位置に対応させている。詳しく言えば、展開図の全体に対する各頁の配置に対応して、矩形のアイコンを縦に四等分、横に四等分して、全体に１６等分に区画し、当該頁の位置に応じて、その一つの区画を高濃度部分（濃い青色）としている。従って、どの頁が上向きになっていても、その頁が３２の頁のどれであるかを、アイコンにおける高濃度部分の位置および色によって知ることが出来る。
【実施例５】
【００３８】
図１０および図１１は、本発明の実施例５に係るノート４の展開図であり、互いに裏表の関係にある。ここでも、点線が山折り、破線が谷折りを示している。実際の製品では、これらの点線や破線は印刷されていない。実施例５のノート３は、実施例３とほぼ同一であるが、各頁が横長となっているという点で異なる。各頁を横長の向きとして、左上にアイコンが印刷されている。各頁の向き以外の点では、実施例５は実施例３と同一である。
【００３９】
すなわち、図１０および図１１に示したように、このノートは、展開した状態で、折り目で区画されている８つの頁を備えている。両面では１６頁となる。各頁には、罫線が印刷されており、左上に縦長のアイコンが印刷されている。図１０および図１１は、点線と破線が入れ替わっていることを除いて、図面上同一に見える。しかし、実際には、表側のアイコンは青色で印刷されており、裏側のアイコンは赤色で印刷されている。すなわち、ユーザーはアイコンの色で、表裏を区別することが出来る。
【００４０】
やはり、本発明の実施例５で用いるアイコンでは、展開図における各頁の位置を、アイコンに含まれる高濃度部分で表現している。すなわち、展開図の全体に対する当該頁の位置を、アイコン全体に対する高濃度部分の位置に対応させている。この高濃度部分の位置によってどの頁が上向きになっていても、その頁が１６の頁のどれであるかを、アイコンにおける高濃度部分の位置および色によって知ることが出来る。
【実施例６】
【００４１】
この実施例６では、頁の左上に印刷されて用いるアイコンの幾つかの例を示す。ここでは、アイコンのみを纏めて示すアイコン図を用いる。このアイコン図の書き方を説明するために、上記実施例３、４、５に対応して、図１２、図１３および図１４にアイコン図で示す。
【００４２】
図１２は、図６および図７に示された両面で１６頁のノートの縦長の頁で用いられている横長のアイコンを表現している。ここで、上半分は表側に印刷された青色のアイコンであり、図６のアイコンを纏めて示している。また、下半分は裏側に印刷された赤色のアイコンであり、図７のアイコンを纏めて示している。
【００４３】
同様に、図１３は、図８および図９に示された両面で３２頁のノートの縦長の頁で用いられている縦長のアイコンを表現している。ここで、左半分は表側に印刷された青色のアイコンであり、図８のアイコンを纏めて示している。また、右半分は裏側に印刷された赤色のアイコンであり、図９のアイコンを纏めて示している。
【００４４】
更に、図１４は、図１０および図１１に示された両面で１６頁の横長の頁で用いられている縦長のアイコンを表現している。ここで、左半分は表側に印刷された青色のアイコンであり、図１０のアイコンを纏めて示している。また、右半分は裏側に印刷された赤色のアイコンであり、図１１のアイコンを纏めて示している。
【００４５】
次に、上記実施例以外の例を示す。図１５は、横長の頁で用いられている横長のアイコンを表現している。上半分は青色のアイコンであり、表面を示す。また、下半分は赤色のアイコンであり、裏面を示す。これらアイコンは、片面１６頁の横長の頁のノートで用いるアイコンである。
【００４６】
図１６は、片面８頁の縦長頁のノートで用いられている横長アイコンを表現している。ここで、上半分は表側に印刷された青色のアイコンであり、図１２で表面を示す上半分と同じである。一方、裏面を示す下半分はカーキ色のアイコンで黒の太い縁取りがなされている。色だけでなく形でも解りやすくすることで、色弱障害の人でも容易に表裏を識別できる。
【００４７】
図１７も、片面８頁の縦長頁のノートで用いられている横長アイコンを表現している。ここで、上半分は表側に印刷された青色のアイコンであり、図１２で表面を示す上半分と同じである。一方、裏面を示す下半分はカーキ色のアイコンで中央に黒丸が置かれている。ここでも、色だけでなく形でも解りやすくすることで、色弱障害の人でも容易に表裏を識別できる。
【００４８】
図１８も、同様に片面８頁の縦長頁のノートで用いられている横長アイコンを表現している。ここで、上半分は表側に印刷された青色のアイコンであり、図１２で表面を示す上半分と同じであるが、図２と同様の識別記号が示されている。一方、裏面を示す下半分はカーキ色のアイコンで、図３と同様の識別記号が示されている。この場合、アイコンの高濃度部分でも頁の位置を識別できるが、識別記号でも頁の位置を確認できるので、より分かりやすくなっている。
【産業上の利用可能性】
【００４９】
以上のように、本発明によるノートによれば複数のページに亘って関連性のある事項を容易に且つ効果的に記載できる。また、本発明に係わるノートは一覧性が良く、携帯性にも優れる。
【符号の説明】
【００５０】
１、２、３、４、５ ノート
ｂ１、ｂ２、ｂ３ 谷折りを示す破線
ｄ１、ｄ２、ｄ３、ｄ４ 山折りを示す点線
【図１】
2020066125.tif 000003
【図２】
2020066125.tif 000004
【図３】
2020066125.tif 000005
【図４】
2020066125.tif 000006
【図５】
2020066125.tif 000007
【図６】
2020066125.tif 000008
【図７】
2020066125.tif 000009
【図８】
2020066125.tif 000010
【図９】
2020066125.tif 000011
【図１０】
2020066125.tif 000012
【図１１】
2020066125.tif 000013
【図１２】
2020066125.tif 000014
【図１３】
2020066125.tif 000015
【図１４】
2020066125.tif 000016
【図１５】
2020066125.tif 000017
【図１６】
2020066125.tif 000018
【図１７】
2020066125.tif 000019
【図１８】
2020066125.tif 000020